(57)【特許請求の範囲】
【請求項１】
内容物を収容する容器に着脱自在に装着され、取外すことで計量カップとして使用可能な有底筒状の計量部を備えた計量キャップであって、
前記計量部の底壁の内面から立設して該計量部の中心軸線に沿って延びる芯棒部を備え、前記芯棒部の側面に少なくとも１つの計量用の段差部が設けられ、
前記容器内の内容物を注出する注出筒を有し、前記容器の口部に固定保持される本体部を備え、前記計量部は前記本体部に対して着脱自在に装着され、
前記芯棒部に、前記注出筒の先端部に設けた被係合部に係合する係合部を設けてなることを特徴とする、計量キャップ。
【請求項２】
前記段差部が、前記芯棒部の周りで環状に設けられてなる、請求項１に記載の計量キャップ。
【請求項３】
前記芯棒部が、軸部と、該軸部の側面から突出して該軸部の延在方向に沿って延びる縦リブとを有し、該縦リブに前記段差部を設けてなる、請求項１に記載の計量キャップ。
【請求項４】
前記計量部の側壁の内周面に、前記段差部と同一の高さの側壁段差部を設けてなる、請求項１〜３の何れか一項に記載の計量キャップ。
【請求項５】
前記係合部が、前記底壁の内面からの前記中心軸線に沿った高さが前記側壁よりも高い位置に設けられている、請求項１〜４の何れか一項に記載の計量キャップ。
【発明の詳細な説明】
【技術分野】
【０００１】
本発明は、内容物を収容する容器に装着され、取外した際には計量カップとして使用することができる計量キャップに関する。
【背景技術】
【０００２】
従来、液体や粉体の洗剤等を収容する容器の口部に着脱自在に装着されるとともに、取外して反転させることにより計量カップとして使用することが可能な計量キャップが広く用いられている（例えば、特許文献１参照）。
【０００３】
この種の計量キャップは、計量カップとして機能する有底筒状の計量部を備え、その計量部の側壁の内周面または外周面に印刷、刻印、凹凸形状等により設けた目盛表示を目安に内容物を注入することで、所定量の内容物を計量して取出すことができる。
【先行技術文献】
【特許文献】
【０００４】
【特許文献１】実開平２−８７４５号公報
【発明の概要】
【発明が解決しようとする課題】
【０００５】
しかしながら、例えば側壁を透明材料で形成し、その外周面に目盛表示を施した計量キャップの場合、計量キャップを真横から視認して目盛表示と内容物の上面の位置を確認する必要があるため、内容物を注入しながら同時に目盛表示を確認することは困難である。すなわち、内容物を注入する際には、計量キャップと容器の相対的な位置や姿勢を安定させるために計量部の上方から視認する必要があるが、上方からでは目盛表示を確認することができず、一方で、真横から目盛表示を確認しながら内容物を注入しようとすると、容器と計量キャップとの相対的な位置や姿勢が安定せず、精度よく内容物を注入することができないという問題がある。
【０００６】
また、計量部の側壁の内周面に目盛表示を設けた場合には、上方から目盛表示を確認することが可能であるものの、側壁内周面が側壁の影によって暗くなってしまうため、内容物の上面と目盛表示とが視認し難く、精度よく内容物を計量できないという問題があった。
【０００７】
それゆえ、本発明は、内容物を計量部に注入する際に視認し易い目盛を有し、安定した状態で精度よく内容物を計量することができる計量キャップを提供することを目的とする。
【課題を解決するための手段】
【０００８】
本発明は上記課題を解決するためになされものであり、本発明の計量キャップは、内容物を収容する容器に着脱自在に装着され、取外すことで計量カップとして使用可能な有底筒状の計量部を備えた計量キャップであって、
前記計量部の底壁の内面から立設して該計量部の中心軸線に沿って延びる芯棒部を備え、前記芯棒部の側面に少なくとも１つの計量用の段差部を設けたことを特徴とするものである。
【０００９】
なお、本発明の計量キャップにあっては、前記段差部が、前記芯棒部の周りで環状に設けられてなることが好ましい。
【００１０】
また、本発明の計量キャップにあっては、前記芯棒部が、軸部と、該軸部の側面から突出して該軸部の延在方向に沿って延びる縦リブとを有し、該縦リブに前記段差部を設けてなることが好ましい。
【００１１】
また、本発明の計量キャップにあっては、前記計量部の側壁の内周面に、前記段差部と同一の高さの側壁段差部を設けてなることが好ましい。
【００１２】
また、本発明の計量キャップにあっては、前記容器内の内容物を注出する注出筒を有し、前記容器の口部に固定保持される本体部を備え、前記計量部は前記本体部に対して着脱自在に装着され、
前記芯棒部に、前記注出筒の先端部に設けた被係合部に係合する係合部を設けてなることが好ましい。
【００１３】
また、本発明の計量キャップにあっては、前記係合部が、前記底壁の内面からの前記中心軸線に沿った高さが前記側壁よりも高い位置に設けられていることが好ましい。
【発明の効果】
【００１４】
本発明によれば、内容物を計量部に注入する際に視認し易い目盛を有し、安定した状態で精度よく内容物を計量することができる計量キャップを提供することが可能となる。
【図面の簡単な説明】
【００１５】
【図１】本発明の一実施形態に係る計量キャップを容器に取付けた状態を示す、側面側から見た断面図である。
【図２】図１の計量キャップにおいて、容器本体から取外したキャップ部の計量部に内容物を注入する様子を示す断面図である。
【図３】本発明の他の実施形態に係る計量キャップを容器に取付けた状態を示す、側面側から見た断面図である。
【図４】図３の計量キャップにおいて、容器本体から取外したキャップ部の芯棒部に注出筒を係合させる様子を示す断面図である。
【図５】図３の計量キャップにおいて、容器本体から取外したキャップ部の計量部に内容物を注入する様子を示す断面図である。
【発明を実施するための形態】
【００１６】
以下、本発明の実施の形態を図面に基づき詳細に説明する。図１に示すように、本発明の一実施形態である計量キャップ１は、容器２の口部３に装着され、注出筒４を有する本体部５と、本体部５に対して着脱自在に装着される計量部６を有するキャップ部７とを備えている。なお、図１において計量部６の中心軸線Ｃが、容器２の口部３及び本体部５のそれぞれの中心軸線と同軸上に配置されており、中心軸線Ｃに平行な方向を軸線方向として説明する。
【００１７】
容器２は、例えば樹脂材料により形成され、その内部に液体または粉体等の内容物を収容する有底筒状の収容部（図示省略）と、収容部の先端に設けた円筒状の口部３とを備えたものである。容器２の形状や材料、また、収容する内容物については特に限定されるものではない。
【００１８】
本体部５は、口部３に固定保持されており、口部３の外周面側に配置される外筒１０と、
口部３の内周面側に配置される内筒１１と、外筒１０と内筒１１を連結する環状の連結壁１２と、連結壁１２から立設する筒状壁１３とを有する。内筒１１の下端部には、中心軸線Ｃに垂直な面に対して傾斜する隔壁１４が設けられ、隔壁１４の中央部付近に、内容物を注出するための注出筒４が設けられている。注出筒４は、先端に向けて先細り形状とされ、先端開口が注出口４ａとなっている。
【００１９】
外筒１０の内周面には、周方向に間隔をあけて複数配置された軸線方向に延びる縦リブ状の回転停止突条１０ａが設けられており、この回転停止突条１０ａが口部３の外周面に設けられた回転停止突条３ａに係合することにより、口部３に対する本体部５の回転を抑制している。回転停止突条１０ａの下方には、口部３の外周面から突出する係合凸部３ｂに対してアンダーカット係合する係合凸部１０ｂが設けられており、これらが相互に係合することにより、口部３に対して本体部５が抜け止め保持されている。
【００２０】
キャップ部７は、計量カップとして使用可能な有底筒状の計量部６を備える。計量部６は、円筒状の側壁１５と、側壁１５の中心軸線Ｃに沿う軸線方向の一端を閉塞する底壁１６とを有する。側壁１５の軸線方向の他端は開口端１５ａであり、内容物を計量部６に注入する際の注入口となる。
【００２１】
底壁１６には、当該底壁１６の内面１６ａの中央部から立設して、軸線方向に延びる芯棒部１７が設けられている。本実施形態において、芯棒部１７は略円柱状であり、その側面に、計量用の目盛としての機能を有する環状の段差部１８が形成されている。芯棒部１７は、底壁１６の内面１６ａから立設する大径部１７ａと、段差部１８を介して連なる小径部１７ｂとで構成されている。また、本実施形態において芯棒部１７は、底壁１６の内面１６ａからの高さが側壁１５よりも低くなるよう設定されており、芯棒部１７の先端面１７ｃも、計量用の目盛として機能する構成とされている。図１に示すように、芯棒部１７はキャップ部７の装着状態では、注出筒４の内側に配置される構成としている。
【００２２】
なお、芯棒部１７の形状は特に限定されるものではなく、例えば多角形や楕円形等の任意の断面形状を有する柱形状とすることができる。また、芯棒部１７は、底壁１６の内面１６ａの中央部から外側にずれた位置に設けてもよいし、複数の芯棒部１７を設け、それぞれを異なる高さとしてもよい。
【００２３】
また、段差部１８は芯棒部１７の周りで環状とした形状に限定されず、周方向の一部のみに段差を設けた形状としてもよい。また、本実施形態では１つの段差部１８を設けているが、複数の段差部１８を異なる高さに設けることも可能である。
【００２４】
本実施形態では、側壁１５の内周面に、環状の第１の側壁段差部１９及び第２の側壁段差部２０を設けている。第１の側壁段差部１９は、底壁１６の内面１６ａからの高さが芯棒部１７の段差部１８と同一であり、第２の側壁段差部２０は、芯棒部１７の先端面１７ｃと同一の高さに形成されている。
【００２５】
キャップ部７は、計量部６の側壁１５の外周面から径方向（中心軸線Ｃに垂直な方向）外側に向けて突出する環状の環状壁２１と、環状壁２１の外縁部から、軸線方向に延びる円筒状の係合筒２２とを備える。係合筒２２の内周面には、本体部５の筒状壁１３の外周面に設けた雄ねじ１３ａに係合する雌ねじ２２ａが設けられている。また、環状壁２１には、筒状壁１３の内周面に当接するシール筒２３が設けられている。
【００２６】
本実施形態の計量キャップ１を用いて、容器２内の内容物を計量する際には、図１に示すように本体部５に装着された装着状態のキャップ部７を螺脱方向に回転させて取外す。そして、図２に示すように上下反転させて底壁１６が下方となるようにキャップ部７を配置し、注出口４ａを介して注出される容器２内の内容物を、計量部６内に注入していく。
【００２７】
内容物を注入する際には、図２に示すように、上方（斜め上方）から視認しつつ、芯棒部１７の段差部１８と内容物の上面Ｓの高さが一致するまで注入する。これにより、所定量の内容物を計量することができる。
【００２８】
このように、本実施形態の計量キャップ１にあっては、計量部６の底壁１６の内面１６ａから立設する芯棒部１７の側面に、目盛となる段差部１８を設けたことにより、上方から目盛が視認し易くなり、所定量の内容物を容易に計量することが可能となる。また、上方から目盛と内容液の上面Ｓとを視認できるので、横から視認しながら内容物を注入する場合に比べて安定した状態での注入作業が可能となり、計量の精度を高めることができる。
【００２９】
なお、本実施形態の計量キャップ１にあっては、段差部１８を芯棒部１７の周りで環状に形成したことにより、周方向の何れの方向からでも視認し易くなり、目盛の視認性向上の効果を高めることができる。
【００３０】
また、本実施形態では、芯棒部１７の段差部１８に加え、先端面１７ｃが目盛として機能するので、必要な内容物の量に応じて２段階の計量が可能となる。
【００３１】
さらに、本実施形態では、芯棒部１７の段差部１８と同一の高さに設けた側壁１５内周面の第１の側壁段差部１９、及び先端面１７ｃと同一の高さに設けた第２の側壁段差部２０を有することにより、さらに計量部６の目盛を確認し易くなり、内容物の計量を容易に行うことが可能となる。
【００３２】
以下に、本発明の他の実施形態について説明する。なお、先の実施形態と同一又は対応する構成については同一の符号で表し、再度の説明は省略する。
【００３３】
図３に示すように、本実施形態の計量キャップ３０においては、芯棒部１７が、底壁１６の内面１６ａから立設して軸線方向に延びる円柱状の軸部３１と、軸部３１の側面から径方向外側に突出して軸部３１の延在方向（軸線方向）に沿って延びる複数の縦リブ３２とで構成されている。それぞれの縦リブ３２の側面には、第１の段差部３２ａ及び第２の段差部３２ｂが異なる高さで設けられている。計量部６の側壁１５の内周面には、第１の段差部３２ａ及び第２の段差部３２ｂとそれぞれ同一の高さで、第１の側壁段差部１９及び第２の側壁段差部２０が設けられている。また、軸部３１の先端部には、縦リブ３２の先端面３２ｃと同一高さの軸部３１の先端面３１ａから軸線方向に突出する小径円柱状の凸部３１ｂ（係合部）が設けられている。
【００３４】
また、図３に部分側面図としても示すように、本体部５の注出筒４の先端部には、切欠き状の凹部４ｂ（被係合部）が形成されている。容器２の内容物を計量部６に注入する際、図４に示すように、凹部４ｂの内側に凸部３１ｂが入り込むようにして注出筒４の先端部を凸部３１ｂに当接させることで、同時に、注出筒４の下面を縦リブ３２の先端面３２ｃおよび軸部３１の先端面３１ａによって下方から支持することができる。これにより、計量部６と注出筒４との相対的な位置及び姿勢がさらに安定し易くなる。したがって、図４に示すように、凸部３１ｂに凹部４ｂを係合させてから、図５に示すように容器２を倒立姿勢に傾けて内容物の注入を開始することで、より安定した状態で計量部６への内容物の注入作業を行うことができ、計量の精度を高めることができる。
【００３５】
また、注出筒４の凹部４ｂを軸部３１の凸部３１ｂに係合させた状態で内容物の注入を行うことで、注出口４ａから注出された内容物が、芯棒部１７の側面を伝って計量部６内に流入するため、内容物が計量部６の外側に飛び散り難くなる。
【００３６】
なお、本実施形態では、芯棒部１７の底壁１６の内面１６ａからの高さを側壁１５よりも高く設定し、計量部６の外方に突出している芯棒部１７の先端部に上記の凸部３１ｂを設けたことにより、注出筒４の凹部４ｂを凸部３１ｂに係合させる際に、側壁１５によって妨げられ難い構成としている。すなわち、係合部としての凸部３１ｂを、底壁１６の内面１６ａからの高さが側壁１５よりも高い位置に設けたことにより、容易に、注出筒４の凹部４ｂを凸部３１ｂに係合させることができる。
【００３７】
なお、本実施形態では、複数の縦リブ３２を同一の高さに設定しているが、これに限定されず、異なる高さの縦リブ３２を複数設けることも可能である。また、縦リブ３２を側壁１５よりも低く設定して、縦リブ３２の先端面３２ｃを、目盛の機能を有する段差部として用いることも可能である。また、軸部３１に段差部を設けることも可能である。
【００３８】
なお、本実施形態においても、芯棒部１７に第１の段差部３２ａ及び第２の段差部３２ｂを設けたことによって、先の実施形態と同様に、上方から目盛を視認し易くして、所定量の内容物の計量を容易にするとともに、計量時の安定性を高めることで計量の精度を向上させるという効果を得ることができる。
【００３９】
以上、図示例に基づき説明したが、本発明は上述の実施形態に限定されるものでなく、特許請求の範囲の記載範囲内で適宜変更することができるものであり、例えば、先の実施形態では、容器２の口部３に固定される本体部５に注出筒４を設けた構成としたが、これに限定されず、容器２に注出筒４を一体に設け、本体部５を介さずに、キャップ部７を直接、容器２に対して着脱自在に装着する構成としても良い。また、芯棒部１７の側面、及び側壁１５の内周面に、例えば「５０ｍｌ」等の内容物の注入量を示す表示を印刷や刻印等により設けてもよい。
【符号の説明】
【００４０】
１  計量キャップ
２  容器
３  口部
３ａ  回転停止突条
３ｂ  係合凸部
４  注出筒
４ａ  注出口
５  本体部
６  計量部
７  キャップ部
１０  外筒
１０ａ  回転停止突条
１０ｂ  係合凸部
１１  内筒
１２  連結壁
１３  筒状壁
１３ａ  雄ねじ
１４  隔壁
１５  側壁
１５ａ  開口端
１６  底壁
１６ａ  内面
１７  芯棒部
１７ａ  大径部
１７ｂ  小径部
１７ｃ  先端面
１８  段差部
１９  第１の側壁段差部
２０  第２の側壁段差部
２１  環状壁
２２  係合筒
２２ａ  雌ねじ
２３  シール筒
３０  計量キャップ
３１  軸部
３１ａ  先端面
３１ｂ  凸部
３２  縦リブ
３２ａ  第１の段差部
３２ｂ  第２の段差部
３２ｃ  先端面
Ｃ  中心軸線
【図１】
0006501656.tif 000002
【図２】
0006501656.tif 000003
【図３】
0006501656.tif 000004
【図４】
0006501656.tif 000005
【図５】
0006501656.tif 000006